(57)【要約】【課題】発泡スチロールを構成材とする組立式家屋に、設計の自由度を損なうことなく、いくつもの部屋を拡張できるようにする。キッチン、寝室、子供部屋などの部屋を周囲に配置できる、拡張性と居住性の良い連結形の組立式家屋を提供する。【解決手段】本考案による連結構造形の組立式家屋は、発泡スチロールからなる複数の分割片の端面を相互に嵌合した状態で接着剤によって接合することにより組み立てられる少なくとも２つの組立式家屋と、一方の組立式家屋に設けられた出入口となるドア部が形成される周壁部と、この周壁部と略同一形状となるように他方の組立式家屋に形成された開口部とを備え、周壁部の端面と開口部の端面を当接させて接着し、２つの組立式家屋の居住空間を連通した。【選択図】図７
0003106395.tif 000002
【実用新案登録請求の範囲】
【請求項１】
発泡スチロールからなる複数の分割片の端面を相互に嵌合した状態で接着剤によって接合することにより組み立てられる少なくとも２つの組立式家屋と、
一方の組立式家屋に設けられた出入口となるドア部が形成される周壁部と、
前記周壁部と略同一形状となるように他方の組立式家屋に形成された開口部とを備え、
前記周壁部の端面と開口部の端面を当接させて接着し、２つの組立式家屋の居住空間を連通したことを特徴とする連結構造形の組立式家屋。
【考案の詳細な説明】
【技術分野】
【０００１】
本考案は、発泡スチロールからなる組立式ドーム型ハウスに組立式箱型ハウスを連結して、居住性を高めた連結構造形の組立式家屋に関する。
【背景技術】
【０００２】
発泡スチロールを構成材とする組立式ドーム型ハウスは、建設費がかさまず工期が短く、また、耐久性があり高級感のある宿泊施設または住居を実現できる。（特許文献１参照）
【０００３】
このような組立式ドーム型ハウスを住居として使用する場合、キッチン、寝室、居間等、目的に応じた複数の部屋を設けることが好ましい。しかし、ドーム型ハウスの内部を仕切ってこれらの部屋を作ったのでは、部屋の形状が円形の形状によって制限され、部屋の設計の自由度が著しく制約される。
【特許文献１】国際公開番号ＷＯ０１／４４５９３
【考案の開示】
【考案が解決しようとする課題】
【０００４】
本考案の目的は、発泡スチロールを構成材とする組立式家屋に、設計の自由度を損なうことなく、いくつもの部屋を拡張できるようにすることである。キッチン、寝室、子供部屋、トイレなどの部屋を分離して配置し使いやすくすることである。すなわち、拡張性と居住性の良い家屋を提供することである。
【課題を解決するための手段】
【０００５】
上記の目的を達成するため、本考案による連結構造形の組立式家屋は、発泡スチロールからなる複数の分割片の端面を相互に嵌合した状態で接着剤によって接合することにより組み立てられる少なくとも２つの組立式家屋と、一方の組立式家屋に設けられた出入口となるドア部が形成される周壁部と、前記周壁部と略同一形状となるように他方の組立式家屋に形成された開口部とを備え、前記周壁部の端面と開口部の端面を当接させて接着し、２つの組立式家屋の居住空間を連通したことを特徴とする。
【考案の効果】
【０００６】
連結部は、すべて同じ形状としたので、例えば、組立式ドーム型ハウス同士、組立式箱型ハウス同士、組立式ドーム型ハウスと組立式箱型ハウスなどを自在に連結することができる。
連結部は、ドア部と共通の分割片を使用したので、製造コスト面で有利である。
組立式ドーム型ハウスと組立式箱型ハウスが、両連結部で互いに連通されて、例えば中心となる組立式ドーム型ハウスを居間に、周囲の箱型ハウスをキッチン、寝室などにした場合、部屋割りが制約されず、拡張性の高い家屋を形成できる。
【考案を実施するための最良の形態】
【０００７】
以下、図面を参照して本考案による、連結構造形の組立式家屋について説明する。
【実施例１】
【０００８】
図１は、本考案による連結構造形の組立式家屋の全体を示す斜視図である。図１に示す連結構造形の組立式家屋は、２つの組立式ドーム型ハウス１、２が中央と右奥に配置され、その周りに組立式箱型ハウス３、４、５、６、７が、連結部ＣＮを介して連結されたものである。いずれも発泡スチロールを構成材として使用している。また、組立式ドーム型ハウスは半球体状、組立式箱型ハウスは略直方体状の居住空間が形成される。
【０００９】
図２は組立式ドーム型ハウスの形状を示す全体斜視図である。図２に示すように、組立式ドーム型ハウス１は、発泡スチロール製の周壁部８と屋根部９とに分割されている。周壁部８は、例えば、１０枚の周壁分割片１０〜１９で構成され、全周にわたって組み合わされる。屋根部９も、同様に１０枚の屋根分割片３０〜３９で構成され、全周にわたって組み合わされる。周壁分割片１０〜１９、屋根分割片３０〜３９の隣り合うもの同士は、接着剤で互いに接合され、全体として丸みを帯びたドーム状となっている。組立式ドーム型ハウス１の頂部には、天窓を兼ねた頂部ジョイント２０が設けられる。
【００１０】
周壁部８、屋根部９の複数の分割片は、それぞれ発泡倍率が１０〜５０倍で、厚さが１０〜５０ｃｍの発泡スチロールで形成される。例えば、積雪が最大で８０ｃｍ程度の場合、発泡倍率２０倍、厚さ２０ｃｍの発泡スチロールからなる分割片を使用する。また、積雪を考慮する必要がない地域では、発泡倍率を２０倍より大きくするか、分割片の厚さを２０ｃｍより薄くする。積雪量が１ｍ以上の地域では、発泡倍率を２０倍以下として強度を得るようにするか、分割片の厚さを厚くする。分割片の強度をさらに高めたい場合は、鉄骨などの補強部材を組み込む。
【００１１】
図３は、組立式ドーム型ハウスの断面図である。図３に示すように、頂部には頂部ジョイント２０が設けられる。屋根分割片３０〜３９の先端部ＤＲが、頂部ジョイント２０の周面に設けられた凹部２０ａに嵌合され、屋根部９が形成される。屋根分割片３０〜３９の下端部には、それぞれ凹部ＤＦが設けられる。周壁分割片１０〜１９の上端部には、それぞれ凸部ＤＧが設けられる。屋根部９と周壁部８は、この凹部ＤＦと凸部ＤＧとが嵌合され接着されて組み立てられる。なお、発泡スチロール片の表面には、紫外線防止用のコーティング２５を施す。また、内壁は内装材２６で被覆する。符号２５と符号２６の間の部分が発泡スチロールの部分で、ここでは周壁分割片１０と屋根分割片３０を表示している。外壁には、その表面に耐火性の塗料やモルタル２７が塗布される。
【００１２】
図３に示すように、周壁分割片１０〜１９は、基礎４０の上に順番に立設され、組立式ドーム型ハウスの周壁となる。基礎４０は、周壁分割片１０〜１９の下端外周面よりも大径で、円板形状の鉄筋入りコンクリート板ＢＢと、コンクリート板ＢＢ上に固定される全体形状が円環状の土台ブロック４１と、土台ブロック４１上に設けられる床体４２とを備える。床体４２は、土台ブロック４１の内周側に砕石４３を充填し、その上にポリエチレンその他の樹脂フィルム４４を敷き、さらにその上にコンクリート４５を充填して形成する。周壁分割片１０〜１９の下端部には、Ｌ字状の基部ＤＢが形成される。基部ＤＢは土台ブロック４１の外周側面に設けた凹部４１ａに嵌合される。コンクリート板ＢＢには、周壁分割片１０〜１９の外周に沿ってアンカープレート４６が埋め込まれる。周壁分割片１０〜１９は、アンカープレート４６とボルトＢＴによって、コンクリート板ＢＢと土台ブロック４１に固定される。
【００１３】
図４は、図２の組立式ドーム型ハウス１のドア部と窓部の詳細な斜視図である。図４に示すように、周壁分割片１１には、ドア部ＰＴが、周壁分割片１３には窓部ＷＤが設けられている。ドア部ＰＴは、左右の枠体１１１、１１３と、上下の枠体１１２、１１４からなる。窓部ＷＤは、左右の枠体１３１、１３３と、上下の枠体１３２、１３４からなる。ここでドア部ＰＴは、外部に通じる玄関部を構成するものであるが、家屋同士を連結する連結部ＣＮ（図１参照）にもなる。枠体１１４、１３４は庇をかねるものであるが、屋根分割片３１、３３と一体に形成してもよい。
【００１４】
図４（ａ）は、下段の○で示す部分を拡大したもので、周壁分割片１２と周壁分割片１３の接合部を示す斜視図である。図４（ａ）に示すように、周壁分割片１２の接合面には凸部ＤＧが、周壁分割片１３の接合面には凹部ＤＦが設けられる。この凹部ＤＦと凸部ＤＧが互いに接着され嵌合される。このような接続は、屋根分割片３０〜３９の接合面でも同様である。
図４（ｂ）は、右中段の○で示す部分を拡大したもので、屋根分割片３３と周壁分割片１３の接合部を示す斜視図である。図４（ｂ）に示すように、屋根分割片３３の接合面には凹部ＤＦが設けられ、周壁分割片１３の接合面には凸部ＤＧが設けられ、この凹部ＤＦと凸部ＤＧが互いに接着され嵌合される。
【００１５】
図５は、ドア部ＰＴと窓部ＷＤを構成する分割片の斜視図と断面図である。
図５（ａ）に示すように、ドア部ＰＴは、入口側はアーチ型の形状をしており、枠体１１１、１１２、１１３、１１４が扉１１０を囲むように設けられる。それぞれの接合面には、凹部ＤＦと凸部ＤＧが設けられ、接着して嵌合される。
図５（ｂ）に示すように、窓部ＷＤは、枠体１３１、１３２、１３３、１３４が窓１３０を囲むように設けられる。それぞれの接合面には、凹部ＤＦと凸部ＤＧが設けられ、接着して嵌合される。
図５（ｃ）は、ドア部ＰＴもしくは窓部ＷＤの断面図を示したもので、扉１１０または窓１３０は、枠体の中央部分にはめ込まれ接合される。
なお、組立式箱型ハウスは、周壁分割片や屋根分割片の個々の形状が、組立式ドーム型ハウス１とは異なっているが、基本的な接合の仕方は同じである。その詳細な説明を省略する。
【００１６】
図６は、本考案による連結構造形の組立式家屋の全体を示す平面図である。図６は一般の住居を想定して部屋割りを決め、複数の組立式ドーム型ハウスと複数の組立式箱型ハウスを連結部で互いに連結したものである。組立式ドーム型ハウス１はリビング（居間）で、組立式ドーム型ハウス２がダイニングキッチンである。書斎８１、ウォークインクローゼット８２、トイレ（ＷＣ）８３、子供部屋５とその寝室４、主寝室６、ユニットバス（ＵＢ）７が組立式箱型ハウスで構成され、組立式ドーム型ハウス１に連結部ＣＮを介して連結されている。なお、廊下３が組立式箱型ハウスで構成され、組立式ドーム型ハウス１、２を結んでいる。組立式ドーム型ハウスおよび組立式箱型ハウスを有機的に結合されて、内部の居住空間を使い易い形に拡張することができる。
【００１７】
図７は、連結部ＣＮの拡大断面図である。例として、組立式ドーム型ハウス１と組立式箱型ハウス８１と連結状態を示す。組立式ドーム型ハウス１の連結部ＣＮとして、前述したドア部ＰＴと共通の枠体が設けられる。一方、組立式箱型ハウス８１の連結部ＣＮには、先細状に、組立式ドーム型ハウス１のドア部ＰＴに向けて湾曲した、周壁分割片８１ａが設けられる。周壁分割片８１ａは、組立式ドーム型ハウス１のドア部ＰＴと同一の開口部８１ｂと接合面を有する。従って、周壁分割片８１ａの接合面は、組立式ドーム型ハウス１のドア部ＰＴを形成する周壁分割片１１０ａ（図５の１１１、１１３に相当）の端面に容易に当接され、接着し嵌合される。また、組立式ドーム型ハウス１のドア部ＰＴの上方および下方も同様である。これにより組立式ドーム型ハウス１と組立式箱型ハウス８１が連結部ＣＮを介して連結され、連結部ＣＮ内のドア部ＰＴと開口部８１ｂにより、通路ＰＡが形成される。その結果、２つの居住空間が通路ＰＡを介して互いに連通される。
【００１８】
実施例１では、組立式ドーム型ハウス１は、屋根部と周壁部の２つに分割したが、図４において、ドア部ＰＴまたは窓部ＷＤがない部分、例えば分割屋根３２と分割周壁１２は１枚の分割片で構成してもよい。
【産業上の利用可能性】
【００１９】
本考案の連結形の組立式家屋は、バンガローやテントに以上に堅固であり、連結することにより居住空間を拡張できるから、一般住居用の家屋としても広く適用できる。
【図面の簡単な説明】
【００２０】
【図１】本考案による連結構造形の組立式家屋の全体を示す斜視図である。
【図２】本考案による組立式ドーム型ハウスの形状を示す全体斜視図である。
【図３】本考案による組立式ドーム型ハウスの断面図である。
【図４】本考案による組立式ドーム型ハウスの詳細な斜視図である。（ａ）は周壁分割片１２と周壁分割片１３の接合部を示す斜視図である。（ｂ）は屋根分割片３３と周壁分割片１３の接合部を示す斜視図である。
【図５】本考案によるドア部ＰＴと窓部ＷＤを構成する分割片の図面である。（ａ）はドア部を構成する分割片の斜視図である。（ｂ）は窓部を構成する分割片の斜視図である。（ｃ）はドア部または窓部を共通に描いた断面図である。
【図６】本考案による連結構造形の組立式家屋の全体を示す平面図である。
【図７】本考案による連結部ＣＮの拡大断面図である。
【符号の説明】
【００２１】
１    組立式ドーム型ハウスのリビング
２    組立式ドーム型ハウスのダイニングキッチン
３    組立式箱型ハウスの廊下
４    組立式箱型ハウスの寝室
５    組立式箱型ハウスの子供部屋
６    組立式箱型ハウスの主寝室
７    組立式箱型ハウスのユニットバス
８    周壁部
９    屋根部
１０〜１９    周壁分割片
２０    頂部ジョイント
２０ａ    凹部
２５    紫外線コーティング
２６    内装材
２７    モルタル
３１〜３９    屋根分割片
４０    基礎
４１    土台ブロック
４１ａ    凹部
４２    床体
４３    砕石
４４    樹脂フィルム
４５    コンクリート
４６    アンカープレート
８１    組立式箱型ハウスの書斎
８１ａ    周壁分割片
８１ｂ    開口部
８２    組立式箱型ハウスのウォークインクローゼット
８３    組立式箱型ハウスのトイレ
１１０    扉
１１０ａ    周壁分割片
１１１、１１２、１１３、１１４    ドア部の枠体
１３０    窓
１３１、１３２、１３３、１３４    窓部の枠体
ＢＢ    鉄骨入りのコンクリート板
ＢＴ    ボルト
ＣＮ    連結部
ＤＢ    基部
ＤＧ    凸部
ＤＦ    凹部
ＤＲ    先端部
ＰＡ    通路
ＰＴ    玄関部
ＷＤ    窓部
【図１】
0003106395.tif 000003
【図２】
0003106395.tif 000004
【図３】
0003106395.tif 000005
【図４】
0003106395.tif 000006
【図５】
0003106395.tif 000007
【図６】
0003106395.tif 000008
【図７】
0003106395.tif 000009